(57)【要約】【課題】各操作部材に割り当てられている機能の使用の有無（使用／不使用）を直感的かつ容易に設定できるようにする。【解決手段】システム制御部５０は、表示部２８に、操作部７０の各操作部材に割り当てられている機能の使用／不使用を設定する設定画面を表示する。この使用／不使用の設定画面では、操作部７０の各操作部材の形状や位置関係を模式的に表わす模式図５０１と、操作部７０の各操作部材に割り当てられている機能の一覧５０２とが表示される。模式図５０１では、各操作部材に割り当てられている機能が文字で明示される。また、機能の一覧５０２では、各機能の使用／不使用が選択可能である。そして、模式図５０１では、機能の一覧５０２にて「使用」と選択された機能が割り当てられている操作部材と、「不使用」と選択された機能が割り当てられている操作部材とが異なる形態で表示される。【選択図】図５
2012034300.tif 000002
【特許請求の範囲】
【請求項１】
表示部と、複数の操作部材とを備えた電子機器であって、
前記表示部に、前記各操作部材に割り当てられている機能の一覧を含む設定画面を表示し、前記設定画面において前記各操作部材に割り当てられている機能の使用の有無を設定できるようにした設定手段と、
前記設定手段で不使用と設定された機能が割り当てられている操作部材が操作されても、該操作部材が機能しないようにする無効手段とを備えたことを特徴とする電子機器。
【請求項２】
前記設定手段は、前記設定画面に、前記操作部材を模式的に表わす模式図を表示し、使用と選択された機能が割り当てられている操作部材と、不使用と選択された機能が割り当てられている操作部材とを異なる形態で表示することを特徴とする請求項１に記載の電子機器。
【請求項３】
前記設定手段は、前記設定画面に、前記各操作部材に割り当てられている機能の一覧をカテゴリーごとに表示することを特徴とする請求項１又は２に記載の電子機器。
【請求項４】
前記カテゴリーは操作部材の位置であることを特徴とする請求項３に記載の電子機器。
【請求項５】
前記カテゴリーは操作部材を操作する指の部位であることを特徴とする請求項３に記載の電子機器。
【請求項６】
前記設定手段は、前記設定画面において、前記複数の操作部材のうち一の操作部材の機能を他の操作部材に代替設定できるようにしたことを特徴とする請求項１乃至５のいずれか１項に記載の電子機器。
【請求項７】
表示部と、複数の操作部材とを備えた電子機器の制御方法であって、
前記表示部に、前記各操作部材に割り当てられている機能の一覧を含む設定画面を表示し、前記設定画面において前記各操作部材に割り当てられている機能の使用の有無を設定できるようにした設定ステップと、
前記設定ステップで不使用と設定された機能が割り当てられている操作部材が操作されても、該操作部材が機能しないようにする無効ステップとを有することを特徴とする電子機器の制御方法。
【請求項８】
表示部と、複数の操作部材とを備えた電子機器を制御するためのプログラムであって、
前記表示部に、前記各操作部材に割り当てられている機能の一覧を含む設定画面を表示し、前記設定画面において前記各操作部材に割り当てられている機能の使用の有無を設定できるようにした設定手段と、
前記設定手段で不使用と設定された機能が割り当てられている操作部材が操作されても、該操作部材が機能しないようにする無効手段としてコンピュータを機能させるためのプログラム。
【発明の詳細な説明】
【技術分野】
【０００１】
本発明は、複数の操作部材を具備するデジタルカメラ等の電子機器、その制御方法及びプログラムに関する。
【背景技術】
【０００２】
従来、例えば特許文献１に開示されているように、単なる利便性の向上のために、機器の機能をユーザが所望するボタンに自由に割り当てる（配置し直す）技術は存在していた。
【先行技術文献】
【特許文献】
【０００３】
【特許文献１】特開２００２−２８１３５２号公報
【発明の概要】
【発明が解決しようとする課題】
【０００４】
しかしながら、例えば障害者や高齢者(特に上肢障害者)が意図しないボタン等の操作部材を押下して誤操作を招く問題は未解決であり、操作性向上を目的として、操作部材の使用の有無（使用／不使用）を直感的かつ容易に設定させ、可能な限り自分の意志通りに操作させる技術は、まだ実現されていなかった。
【０００５】
本発明は、上記のような点に鑑みてなされたものであり、各操作部材に割り当てられている機能の使用の有無（使用／不使用）を直感的かつ容易に設定できるようにすることを目的とする。
【課題を解決するための手段】
【０００６】
本発明の電子機器は、表示部と、複数の操作部材とを備えた電子機器であって、前記表示部に、前記各操作部材に割り当てられている機能の一覧を含む設定画面を表示し、前記設定画面において前記各操作部材に割り当てられている機能の使用の有無を設定できるようにした設定手段と、前記設定手段で不使用と設定された機能が割り当てられている操作部材が操作されても、該操作部材が機能しないようにする無効手段とを備えたことを特徴とする。
【発明の効果】
【０００７】
本発明によれば、表示部に表示する設定画面により、各操作部材に割り当てられている機能の使用の有無（使用／不使用）を直感的かつ容易に設定することが可能になる。これにより、例えば障害者や高齢者が意図しない操作部材を押下して誤操作を招くリスクを減らすことができる。
【図面の簡単な説明】
【０００８】
【図１】第１の実施形態に係るジタルカメラの外観図である。
【図２】第１の実施形態に係るデジタルカメラの構成を示すブロック図である。
【図３】第１の実施形態に係るデジタルカメラの全体的な動作を説明するフローチャートである。
【図４】第１の実施形態における初期設定処理を示すフローチャートである。
【図５】第１の実施形態における使用／不使用の設定画面を示す図である。
【図６】第１の実施形態において使用／不使用の選択をユーザに確認させるための画面を示す図である。
【図７】第２の実施形態における初期設定処理を示すフローチャートである。
【図８】第２の実施形態におけるカテゴリー選択画面を示す図である。
【図９】第２の実施形態における使用／不使用の設定画面を示す図である。
【図１０】第２の実施形態における指の部位選択画面を示す図である。
【図１１】第２の実施形態における使用／不使用の設定画面を示す図である。
【図１２】第２の実施形態において使用／不使用の選択をユーザに確認させるための画面を示す図である。
【図１３】第２の実施形態において使用／不使用の選択をユーザに確認させるための画面を示す図である。
【図１４】第３の実施形態における初期設定処理を示すフローチャートである。
【図１５】第３の実施形態におけるカテゴリー選択画面を示す図である。
【図１６】第３の実施形態における使用／不使用／代替ボタンの設定画面を示す図である。
【図１７】第３の実施形態における代替ボタンの設定画面を示す図である。
【図１８】第３の実施形態において使用／不使用／代替ボタンの選択をユーザに確認させるための画面を示す図である。
【図１９】第３の実施形態における使用／不使用／代替ボタンの設定画面を示す図である。
【発明を実施するための形態】
【０００９】
以下、添付図面を参照して、本発明の好適な実施形態について説明する。
（第１の実施形態）
図１は、本発明を適用した電子機器の一例としての第１の実施形態に係るジタルカメラ１００の外観図である。２８は画像や各種情報を表示する表示部であり、デジタルカメラ１００の背面に配置されている。
【００１０】
７２は電源オン、電源オフを切り替える電源スイッチ、６１はシャッターボタン、６０は各種モード（静止画記録モード、動画記録モード、再生モード等）を切り替えるモード切替スイッチである。７０はユーザからの各種操作を受け付ける操作部であり、各種ボタンやタッチパネル等の複数の操作部材からなる。操作部材は、具体的には、消去ボタン、メニューボタン、ＳＥＴボタン、十字に配置された４方向キー（上ボタン、下ボタン、右ボタン、左ボタン）、ホイール７３等が挙げられる。
【００１１】
１１１はデジタルカメラ１００と外部機器を接続するための接続ケーブル、１１２は接続ケーブル１１１とデジタルカメラ１００とのコネクタである。
【００１２】
２００はメモリカードやハードディスク等の記録媒体である。２０１は記録媒体２００を格納して通信するための記録媒体スロットである。
【００１３】
図２は、第１の実施形態に係るデジタルカメラ１００の構成を示すブロック図である。１０３は撮影レンズ、１０１は絞り機能を備えるシャッター、２２は光学像を電気信号に変換するＣＣＤやＣＭＯＳ素子等で構成される撮像部である。２３はアナログ信号をデジタル信号に変換するＡ／Ｄ変換器であり、撮像部２２から出力されるアナログ信号をデジタル信号に変換する場合に用いられる。また、音声制御部１１から出力されるアナログ信号をデジタル信号に変換する場合にも用いられる。１０２はバリアであり、デジタルカメラ１００のレンズ１０３を含む撮像部を覆うことにより、撮像部の汚れや破損を防止する。
【００１４】
１２はタイミング発生部であり、撮像部２２、音声制御部１１、Ａ／Ｄ変換器２３、Ｄ／Ａ変換器１３にクロック信号や制御信号を供給する。タイミング発生部１２は、メモリ制御部１５及びシステム制御部５０により制御される。１３はＤ／Ａ変換器である。１５はメモリ制御部である。２４は画像処理部であり、Ａ／Ｄ変換器２３からのデータ、又は、メモリ制御部１５からのデータに対し所定の画素補間、縮小といったリサイズ処理や色変換処理を行う。画像処理部２４ではまた、撮像した画像データを用いて所定の演算処理を行い、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理回路２４では更に、撮像した画像データを用いて所定の演算処理を行い、得られた演算結果に基づいてＴＴＬ方式のＡＷＢ（オートホワイトバランス）処理も行う。
【００１５】
３２はメモリであり、Ａ／Ｄ変換器２３からの出力データは、画像処理部２４及びメモリ制御部１５を介して、或いは、直接メモリ制御部１５を介して、メモリ３２に書き込まれる。メモリ３２は、マイク１０において録音された音声データ、撮影した静止画像や動画像及び画像ファイルを構成する場合の、ファイルヘッダを格納するためのメモリである。このメモリ３２は、所定枚数の静止画像や所定時間の動画像及び音声を格納するのに十分な記憶容量を備えている。また、メモリ３２は画像表示用のメモリを兼ねており、メモリ３２に書き込まれた表示用の画像データはＤ／Ａ変換器１３を介して表示部２８により表示される。
【００１６】
１６は適応離散コサイン変換（ＡＤＣＴ）等により画像データを圧縮伸張する圧縮・伸張部であり、シャッター１０１をトリガにしてメモリ３２に格納された撮影画像を読み込んで圧縮処理を行い、処理を終えたデータをメモリ３２に書き込む。また、記録部１９等からメモリ３２に読み込まれた圧縮画像を読み込んで伸張処理を行い、処理を終えたデータをメモリ３２に書き込む。圧縮・伸張部１６によりメモリ３２に書き込まれた画像データは、システム制御部５０のファイル部においてファイル化され、インターフェース１８を介して記録媒体２００に記録される。
【００１７】
１０はマイク、１１はアンプ等で構成される音声制御部、３９はスピーカーである。マイク１０から出力された音声信号は音声制御部１１を介してＡ／Ｄ変換部２３においてデジタル信号に変換された後、メモリ制御部１５によってメモリ３２に格納される。一方、記録媒体２００に記録されている音声データは、メモリ３２に読み込まれた後、Ｄ／Ａ変換部１３を介して音声制御部１１において制御された信号がスピーカー３９において発音される。
【００１８】
５０はデジタルカメラ１００全体を制御するシステム制御部である。５２はシステムメモリであり、システム制御部５０の動作用の定数、変数、不揮発性メモリ５６から読み出したプログラム等を展開する。５６は電気的に消去・記録可能な不揮発性メモリであり、例えばＥＥＰＲＯＭ等が用いられる。不揮発性メモリ５６は、システム制御部５０の動作用の定数、プログラム等を記憶する。
【００１９】
６２は第１シャッタースイッチＳＷ１、６４は第２シャッタースイッチＳＷ２である。第１シャッタースイッチＳＷ１（６２）はシャッターボタン６１の操作途中（半押し）でオンとなり、ＡＦ処理、ＡＥ処理、ＡＷＢ処理、ＥＦ処理等の動作開始を指示する。第２シャッタースイッチＳＷ２（６４）はシャッターボタン６１の操作完了（全押し）でオンとなり、撮像部２２からの信号読み出しから記録媒体２００に画像データを書き込むまでの一連の撮像処理の動作開始を指示する。
【００２０】
操作部７０の各操作部材は、表示部２８に表示される種々の機能アイコンを選択操作すること等により、場面ごとに適宜機能が割り当てられ、各種機能ボタンとして作用する。機能ボタンとしては例えば終了ボタン、戻るボタン、画像送りボタン、ジャンプボタン、絞込みボタン、属性変更ボタン等がある。例えばメニューボタンが押されると各種設定が可能なメニュー画面が表示部２８に表示される。利用者は、表示部２８に表示されたメニュー画面と、４方向キーやＳＥＴボタンを用いて直感的に各種設定を行うことができる。
【００２１】
３９は電源制御部であり、電池検出回路、ＤＣ-ＤＣコンバータ、通電するブロックを切り替えるスイッチ回路等により構成され、電池の装着の有無、電池の種類、電池残量の検出を行う。また、検出結果及びシステム制御部５０の指示に基づいてＤＣ-ＤＣコンバータを制御し、必要な電圧を必要な期間、記録媒体２００を含む各部へ供給する。３０はアルカリ電池やリチウム電池等の一次電池やＮｉＣｄ電池やＮｉＭＨ電池、Ｌｉ電池等の二次電池、ＡＣアダプタ等からなる電源部である。３３及び３４はコネクタであり、電源部３０と電源制御部３９とを接続する。
【００２２】
４０はＲＴＣ（Real Time Clock）であり、電源制御部３９とは別に内部に電源部を保持し、電源部３０が落ちた状態であっても、時計動作状態を続ける。システム制御部５０は起動時にＲＴＣ４０より取得した日時を用いてタイマー制御する。
【００２３】
１８はメモリカードやハードディスク等の記録媒体２００とのインターフェースである。３５は該記録媒体２００とインターフェース１８との接続のためのコネクタである。９８は記録媒体着脱検知部であり、コネクタ３５に記録媒体２００が装着されているか否かを検知する。
【００２４】
記録媒体２００は、半導体メモリや磁気ディスク等から構成される記録部１９、デジタルカメラ１００とのインターフェース３７、及び記録媒体２００とデジタルカメラ１００とを接続するためのコネクタ３６を備えている。
【００２５】
１１０は通信部であり、ＲＳ２３２ＣやＵＳＢ、ＩＥＥＥ１３９４、Ｐ１２８４、ＳＣＳＩ、モデム、ＬＡＮ、無線通信等の各種通信処理を行う。コネクタ（無線通信の場合はアンテナ）１１２は、通信部１１０を介してデジタルカメラ１００を他の機器と接続する。
【００２６】
図３は、第１の実施形態に係るデジタルカメラ１００の全体的な動作を説明するフローチャートである。電源スイッチ７２が操作されて電源がオンに切り替わると、システム制御部５０はフラグや制御変数等を初期化する（ステップＳ１０１）。ステップＳ１０１の初期設定処理の詳細は後述する。また、各種操作に関する初期設定を行う。続いてシステム制御部５０は、記録媒体２００に記録されているファイルに関する管理処理を開始する（ステップＳ１０２）。
【００２７】
次に、システム制御部５０は、モード切替スイッチ６０の設定位置を判断する（ステップＳ１０３、１０５、１０７）。その結果、撮影モード（静止画記録モード）に設定されていたならばステップＳ１０４に進む。また、動画記録モードに設定されていたならばステップＳ１０６に進む。また、再生モードに設定されていたならばステップＳ１０８に進む。また、その他のモードに設定されていたならばステップＳ１０９に進む。その他のモードとしては、例えば記録媒体２００に格納されたファイルの送受信を行う通信モードが含まれる。システム制御部５０は選択されたモードに応じた処理を実行し、処理を終えたならばステップＳ１１０に進む。
【００２８】
次に、システム制御部５０は、電源スイッチ７２の設定位置を判断する（ステップＳ１１０）。その結果、電源スイッチ７２が電源オンに設定されていたならば、ステップＳ１０３に戻る。電源スイッチ７２が電源オフに設定されていたならば、ステップＳ１１１に進み、所定の終了処理を行う。終了処理には、以下のような処理が含まれる。表示部２８の表示を終了状態に変更し、レンズバリア１０２を閉じて撮像部を保護する。フラグや制御変数等を含むパラメータや設定値、設定モードを不揮発性メモリ５６に記録する。電源供給が不要な部分への電源を遮断する。終了処理が完了すると、本処理を終了する。
【００２９】
図４は、ステップＳ１０１の初期設定処理を示すフローチャートである。ステップＳ２０１で、システム制御部５０は、図５に例示するように、表示部２８に、操作部７０の各操作部材に割り当てられている機能の使用の有無（使用／不使用）を設定する設定画面を表示する。この使用／不使用の設定画面では、操作部７０の各操作部材の形状や位置関係を模式的に表わす模式図５０１と、操作部７０の各操作部材に割り当てられている機能の一覧５０２とが表示される。模式図５０１では、各操作部材に割り当てられている機能が文字で明示される。また、機能の一覧５０２では、本実施形態においては各機能が予め決められた順番で表示され、各機能の使用／不使用が選択可能である。そして、模式図５０１では、機能の一覧５０２にて「使用」と選択された機能が割り当てられている操作部材と、「不使用」と選択された機能が割り当てられている操作部材とが異なる形態で表示される。本実施形態では、「不使用」と選択された機能が割り当てられている操作部は点滅表示されるようになっている。
【００３０】
図５に示すように使用／不使用が選択された状態で「次へ」ボタン５０３が押下されると、ステップＳ２０２で、システム制御部５０は、選択された使用／不使用に関して、ユーザに確認する画面を表示部２８に順次表示して指示を仰ぐ。図６に、使用／不使用の選択をユーザに確認させるための画面を示す。図６に示すように、操作部７０の各操作部材の形状や位置関係を模式的に表わす模式図６０１が表示される。模式図６０１でも、各操作部材に割り当てられている機能が文字で明示されるとともに、「使用」と選択された機能が割り当てられている操作部材と、「不使用」と選択された機能が割り当てられている操作部材とが異なる形態で表示される。例えば設定画面と同様、「不使用」と選択された機能が割り当てられている操作部材は点滅表示される。ユーザは、この選択でよければ「終了」ボタン６０２を押下する。一方、選択を変更したければ「戻る」ボタン６０３を押下し、図５に示した設定画面に戻すことができる。
【００３１】
ステップＳ２０３で、システム制御部５０は設定指示があったか否か、すなわち「終了」ボタン６０２が押下されたか否かを判断する。終了していない場合、ステップＳ２０１に戻り、終了した場合、本処理を終了する。これにより、使用／不使用が設定され、「不使用」と設定された機能が割り当てられている操作部材が操作されても、該操作部材が機能しないように無効とされる。
【００３２】
（第２の実施形態）
次に、本発明の第２の実施形態について説明する。本実施形態では、操作部７０の各操作部材に割り当てられている機能の使用の有無（使用／不使用）を設定する設定画面をカテゴリーごとに表示するように構成されている。なお、デジタルカメラの構成及び全体的な動作は第１の実施形態で述べたとおりであり、ここではその詳細な説明は省略する。
【００３３】
図７は、ステップＳ１０１の初期設定処理を示すフローチャートである。ステップＳ３０１で、システム制御部５０は、図８に例示するように、表示部２８に、カテゴリー選択画面を表示する。カテゴリー選択画面では、「自動」８０１と「自分で選択する」８０２とが選択可能である。更に「自分で選択する」８０２では、カテゴリーとして「ボタン（操作部材）の操作位置」８０２ａと「ボタン（操作部材）を操作する指の部位」８０２ｂとが設定されている。
【００３４】
カテゴリー選択画面において「自動」８０１が選択された場合、ステップＳ３０３に進み、システム制御部５０は、操作部７０の各操作部材に割り当てられている機能の使用の有無（使用／不使用）を設定する設定画面を表示する。この場合、図５に示したように、機能の一覧５０２では、各機能が予め決められた順番で表示され、各機能の使用／不使用が選択可能である。
【００３５】
一方、カテゴリー選択画面において「自分で選択する」８０２が選択された場合、ステップＳ３０４に進み、システム制御部５０は、操作部７０の各操作部材に割り当てられている機能の使用の有無（使用／不使用）を設定する設定画面を表示する。この場合に、「ボタンの操作位置」８０２ａが選択されていれば、図９に示すように、各機能が割り当てられている操作部材が、操作部後部に属するものか、操作部左側に属するものか、操作部上部に属するものかに分類されて、模式図５０１及び機能の一覧５０２が表示される。また、「ボタンを操作する指の部位」８０２ｂが選択されていれば、図１１に示すように、各機能が割り当てられている操作部材が、親指操作に属するものか、人指し指操作に属するものか等のように分類されて、模式図５０１及び機能の一覧５０２が表示される。図１１の使用／不使用の設定画面に移行する前に、図１０に示す指の部位選択画面において指の部位「親指」、「人指し指」、・・・をユーザに選択させるようにしてもよい。なお、第１の実施形態と同様、図５、９、１１において、模式図５０１では、機能の一覧５０２にて「使用」と選択された機能が割り当てられている操作部材と、「不使用」と選択された機能が割り当てられている操作部材とが異なる形態で表示される。
【００３６】
図５、９、１１のように使用／不使用が選択された状態で「次へ」ボタン５０３が押下されると、ステップＳ３０５で、システム制御部５０は、選択された使用／不使用に関して、ユーザに確認する画面を表示部２８に順次表示して指示を仰ぐ。図１２に、「ボタンの操作位置」８０２ａが選択された場合の、使用／不使用の選択をユーザに確認させるための画面を示す。また、図１３に、「ボタンを操作する指の部位」８０２ｂが選択された場合の、使用／不使用の選択をユーザに確認させるための画面を示す。図６で説明したのと同様に、操作部７０の各操作部材を形状や位置関係を模式的に表わす模式図６０１が表示される。模式図６０１でも、各操作部材に割り当てられている機能が文字で明示されるとともに、「使用」と選択された機能が割り当てられている操作部材と、「不使用」と選択された機能が割り当てられている操作部材とが異なる形態で表示される。例えば設定画面と同様、「不使用」と選択された機能が割り当てられている操作部材は点滅表示される。ユーザは、この選択でよければ「終了」ボタン６０２を押下する。一方、選択を変更したければ「戻る」ボタン６０３を押下し、図５、９、１１に示した設定画面に戻すことができる。
【００３７】
ステップＳ３０５で、システム制御部５０は設定指示があったか否か、すなわち「終了」ボタン６０２が押下されたか否かを判断する。終了していない場合、ステップＳ３０３、Ｓ３０４に戻り、終了した場合、本処理を終了する。これにより、使用／不使用が設定され、「不使用」と設定された機能が割り当てられている操作部材が操作されても、該操作部材が機能しないように無効とされる。
【００３８】
（第３の実施形態）
次に、本発明の第３の実施形態について説明する。本実施形態では、操作部７０の各操作部材に割り当てられている機能の使用／不使用の設定に加えて、所望の機能を現在割り当てられている操作部材から他の操作部材に代替設定できるように構成されている。なお、デジタルカメラの構成及び全体的な動作は第１、２の実施形態で述べたとおりであり、ここではその詳細な説明は省略する。
【００３９】
図１４は、ステップＳ１０１の初期設定処理を示すフローチャートである。ステップＳ４０１で、システム制御部５０は、図１５に例示するように、表示部２８に、カテゴリー選択画面を表示する。本実施形態では、第２の実施形態と同様、「自動」１５０１と「自分で選択する」１５０２とが選択可能である。更に「自分で選択する」１５０２では、カテゴリーとして「ボタン（操作部材）の操作位置」１５０２ａと「ボタン（操作部材）を操作する指の部位」１５０２ｂとが設定されている。
【００４０】
カテゴリー選択画面において「自動」１５０１が選択された場合、ステップＳ４０３に進み、システム制御部５０は、操作部７０の各操作部材に割り当てられている機能の使用／不使用／代替ボタンを設定する設定画面を表示する。一方、カテゴリー選択画面において「自分で選択する」１５０２が選択された場合、ステップＳ４０４に進み、システム制御部５０は、操作部７０の各操作部材に割り当てられている機能の使用／不使用／代替ボタンを設定する設定画面を表示する。この場合に、第２の実施形態と同様、例えば「ボタンの操作位置」１５０２ａが選択されていれば、図１６に示すように、各機能が割り当てられている操作部材が、操作部後部に属するものか、操作部左側に属するものか、操作部上部に属するものかに分類されて、模式図５０１及び機能の一覧５０２が表示される。
【００４１】
図１６に示すように、機能の一覧５０２では、各操作部材に割り当てられている機能の使用／不使用／代替ボタン（代替操作部材）の使用が選択可能である。また、模式図５０１では、各操作部材に割り当てられている機能が文字で明示される。そして、模式図５０１では、機能の一覧５０２にて「使用」と選択された機能が割り当てられている操作部材と、「不使用」と選択された機能が割り当てられている操作部材と、「代替ボタンを使用」と選択された機能が割り当てられている操作部材とが異なる形態で表示される。なお、図１６では「ボタンの操作位置」１５０２ａが選択されたときの設定画面を図示したが、「自動」１５０１が選択されたときの設定画面や「ボタンを操作する指の部位」１５０２ｂが選択されたときの設定画面も同様である。
【００４２】
ステップＳ４０５で、システム制御部５０は、設定画面において「代替ボタンを使用」が選択された機能が存在するか否かを判定する。「代替ボタンを使用」が選択された機能が存在する場合、ステップＳ４０６に進み、「代替ボタンを使用」が選択された機能が存在しない場合、ステップＳ４０７に進む。
【００４３】
ステップＳ４０６で、システム制御部５０は、図１７に示すように、表示部２８に代替ボタンの設定画面を表示する。代替ボタンの設定画面では、図１６の設定画面で「代替ボタンを使用」が選択された機能、本例の場合「モード設定」が割り当てられている操作部材１７０１が、代替対象であることを表わす所定の表示形態で表示される。そして、当該機能（「モード設定」）を割り当てる他の操作部材を選択することができる。この場合に、他の操作部材は、図１６の設定画面で「不使用」が選択された機能が割り当てられている操作部材、図１７の例では「ダイレクト印刷」が割り当てられている操作部材１７０２及び「ディスプレイ」が割り当てられている操作部材１７０３である。
【００４４】
ステップＳ４０７で、システム制御部５０は、選択された使用／不使用／代替ボタンに関して、ユーザに確認する画面を表示部２８に順次表示して指示を仰ぐ。図１８の例では、「モード設定」の機能が割り当てられていた操作部材１７０１が不使用となるとともに、「ダイレクト印刷」が割り当てられていた操作部材１７０２の機能が「モード設定」に変更されている。ユーザは、この選択でよければ「終了」ボタン１８０１を押下する。一方、選択を変更したければ「戻る」ボタン１８０２を押下し、図１６に示した設定画面に戻すことができる。
【００４５】
ステップＳ４０８で、システム制御部５０は設定指示があったか否か、すなわち「終了」ボタン１８０１が押下されたか否かを判断する。終了していない場合、ステップＳ４０３、Ｓ４０４に戻り、終了した場合、本処理を終了する。これにより、使用／不使用／代替ボタンが設定され、「不使用」と設定された機能が割り当てられている操作部材が操作されても、該操作部材が機能しないように無効とされる。なお、図１９に示すように、機能の一覧５０２では、各操作部材に割り当てられている機能について代替設定済みであれば「代替設定済み」であると明示される。また、模式図５０１では、代替設定済みの操作部材が異なる形態で表示される。
【００４６】
（その他の実施形態）
また、本発明は、以下の処理を実行することによっても実現される。すなわち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【符号の説明】
【００４７】
２８：表示部、７０：操作部、５０：システム制御部
【図１】
2012034300.tif 000003
【図２】
2012034300.tif 000004
【図３】
2012034300.tif 000005
【図４】
2012034300.tif 000006
【図５】
2012034300.tif 000007
【図６】
2012034300.tif 000008
【図７】
2012034300.tif 000009
【図８】
2012034300.tif 000010
【図９】
2012034300.tif 000011
【図１０】
2012034300.tif 000012
【図１１】
2012034300.tif 000013
【図１２】
2012034300.tif 000014
【図１３】
2012034300.tif 000015
【図１４】
2012034300.tif 000016
【図１５】
2012034300.tif 000017
【図１６】
2012034300.tif 000018
【図１７】
2012034300.tif 000019
【図１８】
2012034300.tif 000020
【図１９】
2012034300.tif 000021